(57)【要約】【課題】ダクト内にたまったダストを除去してダクト内を清浄化することができる、ダクト式換気システムにおけるダクトの清浄化システム及び清浄化方法を提供する。【解決手段】空気吹出し口４と空気吸込み口５とが設けられ、いずれか一方又は両方の口４，５に換気用ダクト６，７が接続され、換気ファン２の駆動により、空気吹出し口４から空気を吹き出し、空気吸込み口５から空気を吸い込んで、室内１３の空気を換気するようになされたダクト式換気システムにおいて、前記吹出し口４を、空気を吸い込む吸込み口にし、吸込み口５を、空気を吹き出す吹出し口にする切換え手段、例えば弁装置１４が備えられている。【選択図】      図１
2006084151.tif 000002
【特許請求の範囲】
【請求項１】
空気吹出し口と空気吸込み口とが設けられ、いずれか一方又は両方の口に換気用ダクトが接続され、換気ファンの駆動により、空気吹出し口から空気を吹き出し、空気吸込み口から空気を吸い込んで、室内の空気を換気するようになされたダクト式換気システムにおいて、
前記吹出し口を、空気を吸い込む吸込み口にし、吸込み口を、空気を吹き出す吹出し口にする切換え手段が備えられていることを特徴とするダクト式換気システムにおけるダクトの清浄化システム。
【請求項２】
前記切換え手段が弁装置からなり、前記空気吹出し口と空気吸込み口の両方に換気用ダクトが接続され、前記弁装置に両換気ダクトが接続され、弁装置により、吹出し口が吸込み口に、吸込み口が吹出し口に切り換えられるようになされている請求項１に記載のダクト式換気システムにおけるダクトの清浄化システム。
【請求項３】
前記切換え手段が、可逆式の換気ファンからなる請求項１に記載のダクト式換気システムにおけるダクトの清浄化システム。
【請求項４】
前記換気用ダクトが蛇腹状のダクトからなる請求項１に記載のダクト式換気システムにおけるダクトの清浄化システム。
【請求項５】
請求項１乃至４のいずれか一に記載の清浄化システムを用い、連通具で吸込み口と吹出し口を連通させた状態で、換気用ファンを駆動して清浄化を行うことを特徴とする換気用ダクトの清浄化方法。
【請求項６】
前記空気吹出し口と空気吸込み口の両方に換気用ダクトが接続され、両ダクトと連通具を含む空気通路の下流側に備えられたダスト捕獲部でダストを捕獲する請求項５に記載の換気用ダクトの清浄化方法。
【発明の詳細な説明】
【技術分野】
【０００１】
本発明は、ダクト式換気システムにおけるダクトの清浄化システム及び清浄化方法に関する。
【背景技術】
【０００２】
建物の高気密化で室内の換気の必要が高まっているなかで、ダクト式の換気システムを用いて室内の換気を行うと、ダクト内にダストがたまっていき、換気力が次第に弱まっていくなどの問題を生じる。
【発明の開示】
【発明が解決しようとする課題】
【０００３】
本発明は、上記のような問題点に鑑み、ダクト内にたまったダストを除去してダクト内を清浄化することができる、ダクト式換気システムにおけるダクトの清浄化システム及び清浄化方法を提供することを課題とする。
【課題を解決するための手段】
【０００４】
上記の課題は、空気吹出し口と空気吸込み口とが設けられ、いずれか一方又は両方の口に換気用ダクトが接続され、換気ファンの駆動により、空気吹出し口から空気を吹き出し、空気吸込み口から空気を吸い込んで、室内の空気を換気するようになされたダクト式換気システムにおいて、
前記吹出し口を、空気を吸い込む吸込み口にし、吸込み口を、空気を吹き出す吹出し口にする切換え手段が備えられていることを特徴とするダクト式換気システムにおけるダクトの清浄化システムによって解決される。
【０００５】
この清浄化システムでは、ダクト内のダストがたまった状態で、切換え手段で、吹出し口を吸込み口に、吸込み口を吹出し口に切り換え、換気ファンを駆動すると、空気がダクト内を逆方向に流れて逆洗空気となり、該逆洗空気によってダクト内のダストが除去されて、ダクト内を清浄化することができる。しかも、切換え手段により、ダクト内に逆洗空気を送ることによって清浄化するものであるから、ダクトを交換する必要がなく、清浄化のためのメンテナンスも容易に行うことができる。
【０００６】
上記の清浄化システムにおいて、切換え手段が弁装置からなり、空気吹出し口と空気吸込み口の両方に換気用ダクトが接続され、弁装置に両換気ダクトが接続され、弁装置により、吹出し口が吸込み口に、吸込み口が吹出し口に切り換えられるようになされているのもよい。この場合は、正転専用の換気ファンを備える一般の換気システムに弁装置を組み込むだけで、逆洗によるダクト内の清浄化を実現することができる。
【０００７】
また、上記の清浄化システムにおいて、切換え手段が、可逆式の換気ファンからなるのもよい。この場合は、切換えのための専用機器を換気システムに組み込む必要がなく、簡素なシステム構成にすることができる。
【０００８】
また、上記の清浄化システムにおいて、換気用ダクトが蛇腹状のダクトからなっているのもよい。この場合は、換気用ダクトが蛇腹状のダクトでなっていることにより、付着してたまったダストは逆洗空気によって剥がれ落ちやすく、また、剥がれ落ちたダストを含む逆洗空気が、付着したダストをより効果的に除去して、ダスト内のダストを逆洗空気で効果的に除去することができる。
【０００９】
更に、本発明は、上記の清浄化システムを用い、連通具で吸込み口と吹出し口を連通させた状態で、換気用ファンを駆動して清浄化を行うことを特徴とする換気用ダクトの清浄化方法も内容として含む。
【００１０】
この清浄化方法では、連通具で吸込み口と吹出し口を連通することによって、ダクト内のダストが室内等に排出されず、周囲をダストで汚すことなく清浄化することができる。
【００１１】
上記の清浄化方法において、空気吹出し口と空気吸込み口の両方に換気用ダクトが接続され、両ダクトと連通具を含む空気通路の下流側に備えられたダスト捕獲部でダストを捕獲するのもよい。
【００１２】
この場合は、ダストはダスト捕獲部で捕獲されるから、後の処理が容易であり、また、空気吹出し口と空気吸込み口の両方に換気用ダクトが接続されているなかで、ダスト捕獲部は、両ダクトと連通具を含む空気通路の下流側に備えられているので、各ダクト内のダストを一カ所で集中捕獲することができ、ダストの処理を容易にすることができる。
【発明の効果】
【００１３】
本発明は、以上のとおりのものであるから、ダクト内にたまったダストを除去してダクト内を清浄化することができる。
【発明を実施するための最良の形態】
【００１４】
次に、本発明の実施最良形態を図面に基づいて説明する。
【００１５】
図１（イ）に示す実施形態の清浄化システムにおいて、１は換気ユニットであり、該換気ユニット１は、内部に換気用のファン２を備えて天井３の裏に設置され、天井面３に設けられた空気吹出し口４と空気吸込み口５とに換気用ダクト６，７で連通接続されると共に、建物の外壁８等に設けられた給気口９と排気口１０とに換気用ダクト１１，１２で連通接続され、ファン２を駆動することにより、図２（イ）に示すように、外気が給気口９と空気吹出し口４を通じて室内１３に取り入れられると共に、室内１３の空気が空気吸込み口５と排気口１０を通じて屋外に吐き出されて、室内１３が換気されるようになされている。
【００１６】
そして、換気ユニット１と、空気の吹出し口４、吸込み口５をつなぐ各ダクト６，７は、図１（ロ−１）（ロ−２）に示すように、蛇腹構造のフレキシブルダクトからなっており、換気ユニット１と隣り合う位置において両ダクト６，７に切換え手段としての弁装置１４が介設されている。
【００１７】
弁装置１４は、図１（ハ）に示すように、換気用の二つの通路１５，１６と、交差状態に配置されて両通路１５，１６を連通する清浄化用の二つの連通路１７，１８とを備え、一方の通路１５と一方の連通路１７との連通部、及び、もう一方の通路１６ともう一方の連通部１８との連通部にそれぞれ、弁体１９，１９が設置され、各弁体１９，１９を図２（ハ）に示すような位置にすることで、図２（ハ）に示すように、外気が給気口９と空気吹出し口４を通じて室内１３に取り入れられ、室内１３の空気が空気吸込み口５と排気口１０を通じて屋外に吐き出される換気モードになり、各弁体１９，１９を図３（ハ）に示すような位置にすることで、図３（ハ）に示すように、外気が給気口９と空気吸込み口５を通じて室内１３側に吹き出し、室内１３側の空気が空気吹出し口４と排気口１０を通じて屋外に排気される清浄化モードに切り換わるようになされている。
【００１８】
上記の清浄化システムでは、図２（イ）（ハ）に示すように、換気モードでファン２を駆動し、室内１３の換気を行っていると、図２（ロ）に示すように、換気ダクト６，７内の壁面部にダスト２０が付着していく。本実施形態では、換気ダクト６，７が蛇腹構造をしていることにより、ダスト２０は、ダクト６，７内において内方に突出する山部の風上側に付着していき、それが成長して、山部の頂部よりも内方に突出するようになることで、ダクト６，７内の通気抵抗が次第に大きくなり、換気力が弱まっていく。
【００１９】
そこで、適時において、図３（イ）（ハ）に示すように、弁装置１４の弁体１９，１９の位置を変更して清浄化モードに切り換えると共に、室内１３において、吸込み口５と吹出し口４を連通具２１で連通させた状態にし、また、吹出し口４と弁装置１４とをつなぐダクト６の弁装置１４側にダスト捕獲部２２を設置し、そして、ファン２を駆動する。
【００２０】
すると、各ダクト６，７内を空気が逆方向に流れて逆洗空気２３が形成され、この逆洗空気２３によって、図３（ロ）に示すように、ダクト６，７内に付着してたまったダスト２０が、ダクト６，７の壁面から剥がし取られて除去され、ダクト６，７内が清浄化されていく。
【００２１】
蛇腹構造のダクト６，７内にたまるダスト２０は、図２（ロ）に示すように、換気モードにおいて、ダクト６，７内の山部の風上側に付着して、山部の頂部よりも内方に突出するように成長していくので、清浄化モードにおいて、逆洗空気が、山部の頂部よりも内方に突出する部分に吹き付けられることで、ダスト２０は、図３（ロ）に示すように、ダクト６，７内の壁面部から容易に剥離除去されていく。
【００２２】
また、本実施形態では、吸込み口５と吹出し口４を室内１３において連通具２１で連通させ、吹出し口４と弁装置１４とをつなぐダクト６の弁装置１４側にダスト捕獲部２２を設置しているので、ダクト６，７内のダストが室内に排出されず、室内１３を汚すことがないと共に、各ダクト６，７内のダスト２０を一カ所で集中捕獲することができ、ダストの処理を容易にすることができる。
【００２３】
なお、ダスト捕獲部２２は、例えば、清浄化システムの中に予め備えられ、清浄化モードにおいてフィルター等のダスト捕獲素子をセットするという形式のものなどからなる。
【００２４】
以上に、本発明の実施形態を示したが、本発明はこれに限られるものではなく、発明思想を逸脱しない範囲で各種の変更が可能である。例えば、上記の実施形態では、空気吹出し口４と空気吸込み口５の両方に換気用ダクト６，７が接続されている場合を示したが、換気ユニット１に空気吹出し口４と空気吸込み口５のいずれか一方をダクトレスで備えさせ、もう一方と換気ユニット１とをダクトでつなぐ構成の換気システムに適用されてもよい。
【００２５】
また、上記の実施形態では、弁装置１４を切換え手段として用いた場合を示したが、ファン２を正逆両回転可能な可逆ファンで構成し、ファンの回転方向を切り換えることで換気モードと清浄化モードとの切換えを行うようにしてもよいし、その他の切換え手段が用いられてもよい。
【００２６】
また、上記の実施形態では、清浄化の対象となるダクトが、室内１３に吹き出す吹出し口４と、室内の空気を吸い込む吸込み口５とに接続されたダクト６，７である場合を示しているが、外気を吸い込む給気口９と、室内の空気を屋外に排気する排気口１０とに接続されたダクト１１，１２であってもよいし、それら両方であってもよい。即ち、特許請求の範囲においていう「吸込み口」の語は給気口を含む概念で用いられており、また、「吹出し口」の語は排気口を含む概念で用いられている。
【００２７】
また、上記の実施形態では、清浄化モードにおいて、吸込み口５と吹出し口４とを連通具２１で連通させ、ダクトの下流側の一カ所にダスト捕獲部２２を備えさせ、両ダクト６，７内のダストをダスト捕獲部２２で捕獲する場合を示しているが、清浄化モードにおいて、吸込み口５と吹出し口４とを連通具２１で連通させるか否か、ダスト捕獲部２２を一カ所に集中設置するか否かは任意である。
【００２８】
また、清浄化の対象となるダクトは、蛇腹状のダクトに限らず、種々のダクトであってよい。
【００２９】
更に、本発明の清浄化方法では、吹出し口４と吸込み口５とを連通具２１で連通し、ファン２を駆動することで、ダクト６，７内のダスト２０を、ダクト捕獲部２２で捕獲することなく、屋外に排出するようにしてもよく、ダスト捕獲部２２の採用は任意である。
【図面の簡単な説明】
【００３０】
【図１】実施形態のシステムを示すもので、図（イ）はシステムの構造説明図、図（ロ−１）はダクトの正面図、図（ロ−２）はダクトの要部拡大断面正面図、図（ハ）は弁装置の構造説明図である。
【図２】換気モードを示すもので、図（イ）はシステムの説明図、図（ロ）はダクトの断面正面図、図（ハ）は弁装置の説明図である。
【図３】清浄化モードを示すもので、図（イ）はシステムの説明図、図（ロ）はダクトの断面正面図、図（ハ）は弁装置の説明図である。
【符号の説明】
【００３１】
２…換気ファン
４…吹出し口
５…吸込み口
６，７…ダクト
１３…室内
１４…弁装置（切換え手段）
２０…ダスト
２１…連通具
２２…ダスト捕獲部
２３…逆洗空気
【図１】
2006084151.tif 000003
【図２】
2006084151.tif 000004
【図３】
2006084151.tif 000005